(57)【要約】【課題】漏れ防止機能を高める。【解決手段】自動排泄処理装置(4)の一部を構成する排泄物受けユニット(8)のユニット本体(8(B))は汚物受けトレー部(12)及び尿受けカップ部(14)を有する。ユニット本体(8(B))は、その周囲に広がるクッションカバー部(16)と、クッションカバー部(16)に対して脱着可能なクッション部材(20)とを含んでいる。クッションカバー部(16)は、患者の局部の周囲に連続して延びる漏れ防止壁(40)を有し、また、漏れ防止壁(40)の少なくとも一部と相補的に当接可能なシール面（SF）を有しているクッション部材(20)をクッションカバー部(16)に装着したとき、シール面（ＳＦ）が漏れ防止壁(40)と当接して漏れ防止部を形成する。【選択図】図3
2020171470.tif 000002
【特許請求の範囲】
【請求項１】
自動排泄処理装置(4)の一部を構成し、患者の排泄物を受け止めるための排泄物受けユニット(8)であって、
前記自動排泄処理装置にホースなどの可撓性連結部材を介して連結される汚物受けトレー部(12)及び尿受けカップ部(14)からなるユニット本体(8(B))と、
該ユニット本体(8(B))の周囲に広がるクッションカバー部(16)と、
該クッションカバー部(16)に対して脱着可能なクッション部材(20)とを含み、
前記クッションカバー部(16)は、患者の局部の周囲に連続して延びる漏れ防止壁(40)を有し、
前記クッション部材(20)は、前記漏れ防止壁(40)の少なくとも一部と相補的に当接可能なシール面（SF）を有し、
該クッション部材(20)を前記クッションカバー部(16)に装着したとき、前記シール面（ＳＦ）が前記漏れ防止壁(40)と当接して漏れ防止部を形成することを特徴とする排泄物受けユニット(8)。
【請求項２】
前記クッション部材(20)が防水性の表皮(20b)を有し、
該クッション部材(20)の患者の臀部と当接する臀部当接部位の面(20d)が防水性と共に通気性を有する、請求項１に記載の排泄物受けユニット(8)。
【請求項３】
前記クッション部材(20)が、前記漏れ防止部を覆う防水膜(80)を更に有する、請求項１又は２に記載の排泄物受けユニット(8)。
【請求項４】
尿受けカップ部(14)が女性の患者の尿道口に向けて洗浄水を吐出する尿道口洗浄口(34)を有する、請求項１〜３のいずれか一項に記載の排泄物受けユニット(8)。
【請求項５】
前記排泄物受けユニット(8)が男性用(8(M))と女性用(8(F))とを有し、
女性用の排泄物受けユニット(8(F))に含まれる尿受けカップ部(14(F))の幅（W（F））及び奥行き（Ｄ(F)）が男性用(8(M))よりも小さい、請求項１〜４のいずれか一項に記載の排泄物受けユニット(8)。
【請求項６】
請求項１〜５のいずれか一項に記載の排泄物受けユニット(8)と一緒に用いられる介護用ガーター(10,70)であって、
該介護用ガーター(10,70)が、
患者の臀部と当接するガーター本体(50)と、
該ガーター本体(50)から左右に延びて、患者の腰に巻き付けられる一対の腰ベルト(52)と、
前記ガーター本体(50)から下方に延びて、患者の股間を通る一対の股ベルト(56,72)と、
前記ガーター本体(50)から斜め下方に延びて、患者の股関節の部位を通る一対の股関節ベルト(60)とを有し、
該一対の股関節ベルト(60)が患者の下腹部で固定されることを特徴とする介護用ガーター(10,70)。
【発明の詳細な説明】
【技術分野】
【０００１】
本発明は、一般的に、下肢機能障害など歩行不能な患者や自力でトイレに行くことのできない人、頻尿者など（以下、「患者」と総称する。）に適用される自動排泄処理装置の一部を構成する介護用排泄物受けユニット及び介護用ガーターに関する。
【背景技術】
【０００２】
介護者の負担軽減などを目的として、例えば夜間、自動排泄処理装置が用いられる。この種の装置として特許文献１に開示の自動排泄処理装置を挙げることができる。この自動排泄処理装置は、患者の排泄物を受け止めて吸引する機構と、肛門などの局部を洗浄し、そして乾燥させる機構とを有している。排泄物を受け止めて吸引する機構は、その主要な構成部材として排泄物受けユニット本体を含む。排泄物受けユニット本体は、尿、大便などの汚物を受けるための合成樹脂の成型品であり、患者の局部に対向して延びる縦長の且つ側面視したときに湾曲した形状部分を含んでいる。排泄物受けユニット本体は、装着具として設計されたオムツに組み付けられて患者の股間に位置決めされる。このオムツの組立体は「排泄物受けユニット」とも呼ばれている。
【０００３】
特許文献２は、排泄物受けユニットを、互いに分離可能な幾つかの部材で構成することを提案している。この排泄物受けユニットは、汚物を受けるトレー状の汚物受けトレー部と、この汚物受けトレー部の一端から起立して尿を受ける尿受けカップ部とが一体的に成形された主要部品（カップ本体）を有している。尿受けカップ部は、その上端が上方に向けて開放されている。排泄物受けユニットは、上記の主要部品に対して２つの部材が脱着可能である。第１の脱着可能部材（前部ユニット）は、尿受けカップ部の上端開口に対して脱着可能な腹当てカバー部材である。第２の脱着可能部材（臀部ユニット）は、尿受けカップ部の起立する側縁に対して装着可能であり、汚物受けトレー部の上に設置されて患者の臀部を受ける尻当てカバー部材である。
【０００４】
特許文献３は、排泄物受けユニット本体（収容構造体）と、患者の臀部、股間、下腹部を覆うクッションカバー部材（股間被覆部材）とを有し、クッションカバー部材はユニット本体に対して脱着可能な排泄物受けユニットを開示している。クッションカバー部材は、ユニット本体との境界に沿って連続して延びる漏れ防止壁（漏れ防止部材）を有している。漏れ防止壁は、汚物の漏れを阻止することを目的として、患者の局部を包囲し且つ圧接する。この特許文献３に開示の排泄物受けユニットは、患者の排泄物などの汚物を受けるユニット本体からクッションカバー部材を取り外すことができるため、クッションカバー部の洗浄が容易であると共に漏れ防止壁を含むクッション性が劣化したときには新しいクッションカバー部材に交換できるという利点がある。
【先行技術文献】
【特許文献】
【０００５】
【特許文献１】JP特開２００６−５５５１３号公報
【特許文献２】JP特開２０１３−２０８３７９号公報
【特許文献３】JP特許第５７３９６２１号公報
【発明の概要】
【発明が解決しようとする課題】
【０００６】
排泄物受けユニットのクッションカバー部材は患者の肌に直接的に触れて漏れを防止する部材である。このことから、排泄物受けユニットの漏れ防止機能は介護者にとって重視される。と共に、患者の肌に触れるクッションカバー部は褥瘡の発生原因になりかねない。したがって、排泄物受けユニットの開発は、漏れ防止機能の向上という視点と、褥瘡が発生し難い肌に優しい構造を追求するという視点に立脚することが必要となる。
【０００７】
本発明の目的は、漏れ防止機能を向上することのできる介護用排泄物受けユニット及び介護用ガーターを提供することにある。
本発明の更なる目的は、漏れ防止機能の向上と共に褥瘡の発生を抑えることができる介護用排泄物受けユニットを提供することにある。
【課題を解決するための手段】
【０００８】
上記の技術的課題を達成すべく、本発明の一つの観点によれば、
自動排泄処理装置(4)の一部を構成し、患者の排泄物を受け止めるための排泄物受けユニット(8)であって、
前記自動排泄処理装置にホースなどの可撓性連結部材を介して連結される汚物受けトレー部(12)及び尿受けカップ部(14)からなるユニット本体(8(B))と、
該ユニット本体(8(B))の周囲に広がるクッションカバー部(16)と、
該クッションカバー部(16)に対して脱着可能なクッション部材(20)とを含み、
前記クッションカバー部(16)は、患者の局部の周囲に連続して延びる漏れ防止壁(40)を有し、
前記クッション部材(20)は、前記漏れ防止壁(40)の少なくとも一部と相補的に当接可能なシール面（SF）を有し、
該クッション部材(20)を前記クッションカバー部(16)に装着したとき、前記シール面（SF）が前記漏れ防止壁(40)と当接して漏れ防止部を形成することを特徴とする排泄物受けユニット(8)を提供することにより達成することができる。
【０００９】
本発明は、他の観点によれば、
上記の排泄物受けユニット(8)と一緒に用いられる介護用ガーター(10,70)であって、
該介護用ガーター(10,70)が、
患者の臀部と当接するガーター本体(50)と、
該ガーター本体(50)から左右に延びて、患者の腰に巻き付けられる一対の腰ベルト(52)と、
前記ガーター本体(50)から下方に延びて、患者の股間を通る一対の股ベルト(56,72)と、
前記ガーター本体(50)から斜め下方に延びて、患者の股関節の部位を通る一対の股関節ベルト(60)とを有し、
該一対の股関節ベルト(60)が患者の下腹部で固定されることを特徴とする介護用ガーター(10,70)を提供する。
【００１０】
本発明の作用効果及び他の目的は、本発明の好ましい実施例の詳細な説明から明らかになろう。
【図面の簡単な説明】
【００１１】
【図１】実施例の介護用排泄物受けユニットを含む介護装置を適用した自動排泄処理システムを説明するための図である。
【図２】実施例の介護装置が介護用排泄物受けユニットと介護用ガーターとを含むことを説明するための図である。
【図３】排泄物受けユニットが、脱着可能なクッション部材を含むことを説明するための図である。
【図４】クッションカバー部の構造を説明するための断面図である。
【図５】クッション部材を装着した状態の排泄物受けユニットの斜視図である。
【図６】排泄物受けユニットの縦断面図である。
【図７】図５のVII−VII線に沿った断面図である。
【図８】図６のVIIIで指し示す部位を拡大した断面図である。
【図９】図３のIX−IX線に沿った断面図であり、クッション部材の構造を説明するための図である。
【図１０】クッション部材の正面図である。
【図１１】クッション部材の背面図である。
【図１２】クッション部材の平面図である。
【図１３】クッション部材の底面図である。
【図１４】クッション部材の右側面図である。
【図１５】介護用ガーターの正面図である。
【図１６】介護用ガーターの背面図である。
【図１７】介護用ガーターの平面図である。
【図１８】介護用ガーターの底面図である。
【図１９】介護用ガーターの右側面図である。
【図２０】患者に装着した排泄物受けユニットを介護用ガーターで固定した状態を説明するための図である。
【図２１】男性用の排泄物受けユニットの平面図である。
【図２２】男性用の排泄物受けユニットの断面図である。
【図２３】女性用の排泄物受けユニットの平面図である。
【図２４】女性用の排泄物受けユニットの断面図である。
【図２５】変形例の介護用ガーターの正面図である。
【図２６】変形例の介護用ガーターを患者に装着した状態を説明するための図である。
【図２７】クッション部材の第１変形例を説明するための、図６に対応する断面図である。
【図２８】図２７に図示の第１変形例に関する、図７に対応する断面図である。
【図２９】図２７に図示の第１変形例に関する、図８に対応する断面図である。
【図３０】クッション部材の第２変形例を説明するための、図８に対応する断面図である。
【図３１】クッション部材の第３変形例を説明するための、図８に対応する断面図である。
【図３２】クッション部材の第４変形例を説明するための、図８に対応する断面図である。
【図３３】クッション部材の第５変形例を説明するための、図８に対応する断面図である。
【図３４】図２９に図示の第１変形例に防水膜を付加した例を説明するための図２９に対応する断面図である。
【図３５】図３０に図示の第２変形例に防水膜を付加した例を説明するための図３０に対応する断面図である。
【図３６】図３１に図示の第３変形例に防水膜を付加した例を説明するための図３１に対応する断面図である。
【図３７】図８に図示の実施例に防水膜を付加した例を説明するための図８に対応する断面図である。
【発明を実施するための形態】
【実施例】
【００１２】
以下に、添付の図面に基づいて本発明の好ましい実施例を説明する。
【００１３】
図１は自動排泄処理システム２の全体概要を説明するための図である。自動排泄処理システム２は、処理装置本体４と、この処理装置本体４に、汚物吸引ホースなどを含む可撓性連結部材６を介して接続された排泄物受けユニット８と、患者に装着された排泄物受けユニット８を固定するための介護用ガーター１０とを含む。
【００１４】
図２は、排泄物受けユニット８と介護用ガーター１０とを示す図である。排泄物受けユニット８は、図３に図示するように、汚物受けトレー部１２、尿受けカップ部１４からなるユニット本体８(B)（図６）と、クッションカバー部１６との組立体であり、クッションカバー部１６はユニット本体８(B)に接着される。
【００１５】
クッションカバー部１６は適度な可撓性を有し、患者の臀部、股間、下腹部に沿って変形可能である。汚物受けトレー部１２、尿受けカップ部１４は合成樹脂の成型品である。クッションカバー部１６はクッション性のある材料で作られている。図４は、クッションカバー部１６の断面図である。図４を参照して、クッションカバー部１６は、患者側の第１外皮１６aと、外側の第２外皮１６bと、芯材を構成するクッション素材１６cとで構成されている。患者側の第１外皮１６aは、防水性を備え且つ肌に粘着しない肌当たりの良い材料で構成されている。具体的には、滑剤をコーティングした材料で構成されている。第２外皮１６bは、通気性を備えた材料、例えばジャージ生地で構成されている。クッション素材１６cは防水性を備え且つ柔軟性を備えた、例えばネオプレーンゴムで構成されている。クッションカバー部１６にはクッション部材２０が脱着可能に装着される。図５は、クッション部材２０を取り付けた状態の排泄物受けユニット８を示す。
【００１６】
図６は、排泄物受けユニット８の縦断面図である。図７は、図５のVII−VII線に沿った排泄物受けユニット８の断面図である。図７に参照符号１６dで指し示す部位は尿受けカップ部１４に連続する凸部である。先ず、図６を参照して、合成樹脂製のユニット本体８(B)は、汚物吸引するホースが接続される第１接続口２２と、洗浄水を供給するホースが接続される第２接続口２４と、温風を供給するホースが接続される第３接続口２６とを有する。また、ユニット本体８(B)は、第２接続口２４を通じて供給された洗浄水を肛門に向けて吐出する第１、第２の肛門用洗浄口２８、３０と、汚物受けトレー部１２の汚物を第１接続口つまり汚物吸引ホース接続口２２に向けて洗浄水を吐出する汚物用洗浄口３２に加えて、女性患者の尿道口に向けて洗浄水を吐出する尿道口洗浄口３４とを有している。なお、上述した汚物受けトレー部１２には、既知のように、排泄物検知センサが設けられて排泄を検知すると、予め定められた手順で、ユニット本体８(B)から汚物を吸引し、次に肛門などを洗浄し、次に乾燥させる工程が実行される。
【００１７】
図６、図７を参照して、クッションカバー部１６は、断面矩形の漏れ防止壁４０を有している。漏れ防止壁４０は、患者の局部の周囲において連続して延び且つ矩形断面の形状を有している。クッション部材２０は、クッションカバー部１６の漏れ防止壁４０に沿って延びる内周部分において、漏れ防止壁４０と接する部分に段付き部４２を備えている。この段付き部４２は漏れ防止壁４０をL字状に切り欠いた形状の段部４２aを有し、そして、漏れ防止壁４０を当接し且つ漏れ防止壁４０の頂面を覆う状態でクッションカバー部１６に装着される。すなわち、クッション部材２０の段付き部４２は、漏れ防止壁４０の外方側面及び頂面で形成される立体形状の面と相補的な形状のシール面ＳＦを構成している。
【００１８】
図中、参照符号４４は面ファスナを示す。面ファスナ４４によってクッション部材２０がクッションカバー部１６に固定される。面ファスナ４４に代えて両面接着テープ（図示せず）でクッション部材２０をクッションカバー部１６に固定してもよい。
【００１９】
図８は、図６の矢印VIIIで指し示す部位の拡大図である。漏れ防止壁４０は、その芯材としてウレタンフォーム４０aを含み、このウレタンフォーム４０aは前述の防水性を備えた第１外皮１６aで覆われている。
【００２０】
図９は、図３のIX−IX線に沿った断面図である。図９を参照して、クッション部材２０は、例えばウレタンフォームからなるクッション素材２０aと、クッション素材２０aを包囲する表皮材２０bとで構成され、クッション素材２０aは、前述した漏れ防止壁４０の芯材と同様に、ウレタンフォームで構成されている。表皮材２０bは、防水性を備えた生地、例えばネオプレーン生地で構成されている。この表皮材２０bに関し、患者の臀部と当接する臀部当接部位２０c（図５、図６）は、患者（臀部）と接する面２０d（図８）が、通気性を備えた布地に撥水加工を施すことにより防水性だけでなく通気性を備えた生地で構成されている。これにより、患者の臀部の褥瘡の発生を抑えることができる。
【００２１】
図１０〜図１４はクッション部材２０に関する図である。図１０は、装着時に患者に対向する正面図である。図１１は背面図である。図１２は平面図である。図１３は底面図である。図１４は右側面図である。左側面図は図１４の右側面図と同じであることから図示を省略する。
【００２２】
クッションカバー部１６にクッション部材２０を脱着可能に付加することで、患者の局部の周囲に密着する部位のクッション性を、クッション部材２０を交換することにより長期に亘って維持することができる。また、クッション部材２０とクッションカバー部１６との接触部位、つまり漏れ防止壁４０の一部と、これと相補的な形状のシール面ＳＦとが密着して漏れ防止部を形成する図６〜図８に図示の構成を採用することにより、当該漏れ防止部からの汚物の漏れを防止することができる。前述したように、クッション部材２０の段部４２aは、クッション素材２０aとこれを包囲する防水性の表皮材２０b（図９）で構成されており、また、同様に、クッションカバー部１６の漏れ防止壁４０は、その芯材としてウレタンフォーム４０aを包囲する第１外皮１６aが防水性を備えた材料で構成されているため、排泄物受けユニット８が適正に患者の局部に圧接して密着した状態では、クッション素材２０a、ウレタンフォーム４０aの適度な圧縮変形の反力によって防水性表皮材２０b、１６a同士の密着性、つまりクッション部材２０のシール面ＳＦの漏れ防止壁４０に対する密着性を維持することができる。
【００２３】
図１５〜図２０は介護用ガーター１０を説明するための図である。図１５は、装着時に患者に対向する正面図である。図１６は、ベッドに対向する背面図である。図１７は平面図である。図１８は底面図である。図１９は右側面図である。左側面図は図１９の右側面図と同じであることから図示を省略する。
【００２４】
患者に装着した排泄物受けユニット８は、介護用ガーター１０によって固定される。図２０は、介護用ガーター１０を患者に装着した状態を説明するための図である。介護用ガーター１０は、患者の臀部と当接するガーター本体５０から左右に延びる一対の腰ベルト５２を有し、一対の腰ベルト５２を患者の腰に巻き付けて面ファスナ５４によって腰ベルト５２同士を固定することができる。この腰ベルト５２の幅Ｗ(west)（図２０）は、排泄物受けユニット８のクッションカバー部１６のうち患者の下腹部と当接する腹当てカバー部位１６(B)の一部と干渉できるように設定されている。これにより、排泄物受けユニット８は、腹当てカバー部位１６(B)が腰ベルト５２によって患者の腹部と密着した状態となり、この状態が維持される。
【００２５】
介護用ガーター１０は、ガーター本体５０から下方に延びる一対の股ベルト５６を有している（図１５）。この一対の股ベルト５６は患者の股間を通って患者の前方に引き出される。一対の股ベルト５６の先端部５６aには、互いに嵌合するスナップボタン５８が設けられている。図２０を参照して、一対の股ベルト５６は、排泄物受けユニット８において可撓性連結部材６を接続する部位に巻き付けられ、そして、一対の股ベルト５６の先端部５６a同士がスナップボタン５８を使って固定される。
【００２６】
介護用ガーター１０の好ましい装着手順としては、先ず、ガーター１０に排泄物受けユニット８を位置決めした状態で、側臥位の患者の局部に排泄物受けユニット８を当てがい、そして、排泄物受けユニット８を位置決めしたら、ホースなどの可撓性連結部材６を接続する部位に一対の股ベルト５６を巻き付けてスナップボタン５８で股ベルト５６の先端同士を固定する。次に患者を仰臥位に姿勢変換して腰ベルト５２を装着する。これにより、排泄物受けユニット８は、腹当てカバー部位１６(B)が腰ベルト５２によって固定され、また、可撓性連結部材６を接続する部位が股ベルト５６によって臀部の方に引き寄せられた状態で固定される。
【００２７】
介護用ガーター１０は、一対の股関節ベルト６０を有している。図１５などを参照して、股関節ベルト６０は、ガーター本体５０の中央部分から斜め下方に延びており、患者の臀部から股関節の部位を通り患者の下腹部まで延びる長さを有している（図２０）。一対の股関節ベルト６０の先端部には、夫々、第１面ファスナ６２が設けられ、これと係合する第２面ファスナ６４が腹当てカバー部位１６(B)に設けられている。これら第１、第２の面ファスナ６２、６４の係止によって、股関節ベルト６０を、排泄物受けユニット８の腹当てカバー部位１６(B)に固定することができる。この股関節ベルト６０によって、患者の局部に位置決めした排泄物受けユニット８の位置決め状態の維持を長時間に亘って確実なものにすることができる。
【００２８】
排泄物受けユニット８は、男性用と女性用とに分類した２種類のユニットを用意するのが好ましい。男性用と女性用とを識別するために、男性用には参照符号(M)を付記し、女性用には参照符号(F)を付記して以下に説明する。図２１、図２２は、男性用の排泄物受けユニット８（M）を説明するための図である。図２３、図２４は、女性用の排泄物受けユニット８（F）を説明するための図である。男性用と女性用との本質的な違いは尿受けカップ部１４及びクッションカバー部１６の凸部１６ｄに見られる。図２１、２２と、図２３、２４とを参照して、男性用の尿受けカップ部１４（M）及び凸部１６ｄ(M)の幅Ｗ(M)及び奥行きＤ(M)は、女性用の尿受けカップ部１４（F）及び凸部１６ｄ(F)の幅Ｗ(F)及び奥行きＤ(F)よりも大きい。男性用の尿受けカップ部１４（M）及び凸部１６ｄ(M)の幅Ｗ(M)及び奥行きＤ(M)は陰茎及び睾丸を受け入れることのできる寸法に設定されている。これに対して、女性用の尿受けカップ部１４（F）及び凸部１６ｄ(F)の幅Ｗ(F)及び奥行きＤ(F)は女性の局部を包囲できる限定的な寸法に設定されている。従来は、男性と女性の兼用のカップ部が採用されており、この場合には男性を主眼において寸法が設定されていたため、女性にとって大き過ぎるため女性患者に不快感を与えていた。
【００２９】
図２０を参照して、介護用ガーター１０は、その腰ベルト５２によって排泄物受けユニット８の腹当てカバー部位１６(B)を患者に対して固定し、また、股関節ベルト６０によって、腰ベルト５２に腹当てカバー部位１６(B)の中央部を患者に対して固定することができる。したがって、患者が姿勢変換しても腹当てカバー部位１６(B)の浮き上がりを抑えることができるため、排泄物受けユニット８の位置決めを長期に亘り維持することができ、これにより漏れ防止を向上することができる。
【００３０】
図１５などを参照して説明した介護用ガーター１０は、前述したように、一対の股ベルト５６を排泄物受けユニット８において可撓性連結部材６を接続する部位に巻き付ける構成を有している。変形例を図２５、図２６を参照して説明する。この変形例の介護用ガーター７０は、腰ベルト５２まで延びる長さ寸法を備えた一対の長尺股ベルト７２を有している。一対の長尺股ベルト７２は、その先端部分に面ファスナ７４を有し（図２５）、この面ファスナ７４を使って腰ベルト５２に固定することができる（図２６）。
【００３１】
変形例の介護用ガーター７０は、好ましくは、一つの長尺股ベルト７２の長手方向中間部分に横断ベルト７６を含むのがよい。この横断ベルト７６は、排泄物受けユニット８の尿受けカップ部１４を横断して位置し、これにより排泄物受けユニット８を横断ベルト７６で押さえつけることができる。
【００３２】
以上、本発明の好ましい実施例を説明したが、脱着可能なクッション部材２０のシール面ＳＦによって形成される漏れ防止部の変形例を図２７以降の図面に基づいて説明する。なお、図２７〜図２９、図３０などにおいて面ファスナ４４は図示を省いてある。
【００３３】
図２７〜図２９は、図６〜図８に夫々対応した図である。図２７〜図２９を参照して、第１変形例のクッション部材２０１を示す。このクッション部材２０１は、上述した実施例に含まれるクッション部材２０のシール面ＳＦの形状が異なり、それ以外はクッション部材２０と同じである。第１変形例のクッション部材２０１のシール面ＳＦは、断面矩形の漏れ防止壁４０の内方側面、外方側面及び頂面で構成される立体的な面と相補的な形状を有する。これにより、クッション部材２０１は、クッションカバー部１６の漏れ防止壁４０と凹凸嵌合した状態の漏れ防止部を形成することができる。
【００３４】
図３０は、実施例で説明したクッションカバー部１６の漏れ防止壁４０の断面形状及びクッション部材２０のシール面ＳＦの断面形状の変形例を示す。図３０に図示の第２変形例では、クッションカバー部１６が断面三角形の漏れ防止壁４０１を有している。これに対応してクッション部材２０２のシール面ＳＦは、漏れ防止壁４０１の断面形状と相補的な断面三角形の形状を有している。
【００３５】
図３１は、実施例で説明したクッションカバー部１６の漏れ防止壁４０の断面形状及びクッション部材２０のシール面ＳＦの断面形状の変形例を示す。図３１に図示の第３変形例では、クッションカバー部１６が上述した第２変形例と同様の、しかし比較的大きな断面三角形の漏れ防止壁４０２を有している。これに対応してクッション部材２０３のシール面ＳＦは、断面三角形の漏れ防止壁４０２の外方側側面と相補的な断面三角形の形状を有している。
【００３６】
図３２は、クッションカバー部１６の漏れ防止壁４０の断面形状及びクッション部材２０のシール面ＳＦの断面形状の変形例を示すと共に、クッション部材２０の内側に防水性の膜８０を備えた変形例を示す。図３２に図示の第４変形例では、漏れ防止壁４０３が比較的大きな幅を有する断面矩形の形状を有している。他方、クッション部材２０４のシール面ＳＦは、漏れ防止壁４０３の頂面と相補的な平らな面で構成されている。クッション部材２０４は、漏れ防止壁４０３とシール面ＳＦとの境界を覆う膜８０を有している。この防水膜８０は防水性の材料から作られており、ここでは、前述した防水性の生地からなる表皮材２０b（図９）を延長することにより防水膜８０が形成されている。防水膜８０は、クッション部材２０４の内周部分に沿って連続して延びていてもよいが、好ましくは、クッション部材２０４を装着する際の作業性の観点から、周方向に間隔をおいて切断した構成を備えているのがよい。また、防水膜８０は、漏れが発生し易い部分だけ限定的に設けてもよい。
【００３７】
図３３は、実施例で説明したクッションカバー部１６の矩形断面の漏れ防止壁４０の大きさ及びクッション部材２０のシール面ＳＦの断面形状並びに防水膜８０の変形例を示す。図３３に図示の第５変形例では、クッションカバー部１６が比較的大きな幅及び高さを備えた矩形断面の漏れ防止壁４０４を有している。これに対応してクッション部材２０５のシール面ＳＦは、漏れ防止壁４０４の外方側面と相補的な平らな形状を有している。また、第５変形例の防水膜８０１は、漏れ防止壁４０４の頂面を覆う大きさを有している。
【００３８】
図３４〜図３７は、上述した実施例及び変形例に防水膜８０を加えた更なる変形例を示す。図３４は、第１変形例（図２９）に防水膜８０を付加した例を示す。図３５は、第２変形例（図３０）に防水膜８０を付加した例を示す。図３６は、第３変形例（図３１）に防水膜８０を付加した例を示す。図３７は、実施例（図８）に防水膜８０を付加した例を示す。
【符号の説明】
【００３９】
８  排泄物受けユニット
８(B)  ユニット本体
１０  介護用ガーター
１２  汚物受けトレー部（ユニット本体の一部）
１４  尿受けカップ部（ユニット本体の一部）
１６  クッションカバー部
１６d  クッションカバー部において尿受けカップ部に連続する凸部
１６(B)  腹当てカバー部位
２０  クッション部材
２０d  クッション部材において臀部と接する面
４０  漏れ防止壁
ＳＦ  漏れ防止部を形成するクッション部材のシール面
４２  シール面を構成する段付き部
４４  面ファスナ
５０  介護用ガーターにおいて臀部と当接するガーター本体
５２  介護用ガーターの腰ベルト
５６  介護用ガーターの股ベルト
５６a  股ベルトの先端部
５８  スナップボタン
６０  介護用ガーターの股関節ベルト
８０、８０１  防水膜
【図１】
2020171470.tif 000003
【図２】
2020171470.tif 000004
【図３】
2020171470.tif 000005
【図４】
2020171470.tif 000006
【図５】
2020171470.tif 000007
【図６】
2020171470.tif 000008
【図７】
2020171470.tif 000009
【図８】
2020171470.tif 000010
【図９】
2020171470.tif 000011
【図１０】
2020171470.tif 000012
【図１１】
2020171470.tif 000013
【図１２】
2020171470.tif 000014
【図１３】
2020171470.tif 000015
【図１４】
2020171470.tif 000016
【図１５】
2020171470.tif 000017
【図１６】
2020171470.tif 000018
【図１７】
2020171470.tif 000019
【図１８】
2020171470.tif 000020
【図１９】
2020171470.tif 000021
【図２０】
2020171470.tif 000022
【図２１】
2020171470.tif 000023
【図２２】
2020171470.tif 000024
【図２３】
2020171470.tif 000025
【図２４】
2020171470.tif 000026
【図２５】
2020171470.tif 000027
【図２６】
2020171470.tif 000028
【図２７】
2020171470.tif 000029
【図２８】
2020171470.tif 000030
【図２９】
2020171470.tif 000031
【図３０】
2020171470.tif 000032
【図３１】
2020171470.tif 000033
【図３２】
2020171470.tif 000034
【図３３】
2020171470.tif 000035
【図３４】
2020171470.tif 000036
【図３５】
2020171470.tif 000037
【図３６】
2020171470.tif 000038
【図３７】
2020171470.tif 000039